(57)【要約】【課題】直交する水平二方向においてしっかりとした耐震性能を発揮できると共に、同水平二方向において外壁パネルに先行して降伏して外壁パネルを保護でき、しかもそれを簡素な構造でコスト的に有利に実現できる、外壁保護のための耐震建物用のコーナー部土台構造を提供する。【解決手段】外壁コーナー部において、平面視Ｌ形の上下の水平プレート部７，８が、極軟鋼等の鋼製の複数の垂直プレート部９，１０で連結され、一部の垂直プレート部９が、一方の外壁面に沿う方向に向けられ、残りの垂直プレート部１０がもう一方の外壁面に沿う方向に向けられ、外壁面に沿う方向を向く水平力が作用した際、その方向を向く垂直プレート部がその外壁パネルに先行してせん断降伏するようになされている。【選択図】      図１
2006200274.tif 000002
【特許請求の範囲】
【請求項１】
外壁コーナー部において、平面視Ｌ形の下水平プレート部が基礎側に連結されると共に、平面視Ｌ形の上水平プレート部がコーナー部を挟む両外壁パネルのそれぞれに連結され、これら上下の水平プレート部が、それらの間に介設された鋼製の複数の垂直プレート部で連結され、
そのうちの一部の垂直プレート部が、コーナー部を挟む一方の外壁パネルの外壁面に沿う方向に向けられ、残りの垂直プレート部がコーナー部を挟むもう一方の外壁パネルの外壁面に沿う方向に向けられ、
コーナー部を挟む一方の外壁パネルにその外壁面に沿う方向を向く水平力が作用した際、その方向を向く垂直プレート部が該一方の外壁パネルに先行してせん断降伏するようになされていると共に、
コーナー部を挟むもう一方の外壁パネルにその外壁面に沿う方向を向く水平力が作用した際、その方向を向く垂直プレート部が該もう一方の外壁パネルに先行してせん断降伏するようになされていることを特徴とする外壁保護のための耐震建物用のコーナー部土台構造。
【請求項２】
一方の外壁パネルの側に、もう一方の外壁パネルの外壁面に沿う方向を向く垂直プレート部が備えられ、
該もう一方の外壁パネルの側に、前記一方の外壁パネルの外壁面に沿う方向を向く垂直プレート部が備えられている請求項１に記載の外壁保護のための耐震建物用のコーナー部土台構造。
【発明の詳細な説明】
【技術分野】
【０００１】
本発明は、外壁保護のための耐震建物用のコーナー部土台構造に関する。
【背景技術】
【０００２】
耐震構造の建物において、地震等による水平力により、外壁パネルの面材に割れを生じたり、ブレース等の耐力要素が降伏したりするのを防ぐ目的で、土台を先行して降伏させる構造を採用する場合に、外壁コーナー部は、コーナー部を挟む一方の外壁パネルともう一方の外壁パネルとが直交近接状態に設置される部分であることから、その部分における土台の構造は、直交する水平二方向においてしっかりとした耐震性能を発揮することができるものでありながら、同水平二方向において外壁パネルの保護との関係でうまい具合に先行して降伏することができるものでなければならない。
【発明の開示】
【発明が解決しようとする課題】
【０００３】
本発明は、上記のような要請に鑑み、直交する水平二方向においてしっかりとした耐震性能を発揮することができると共に、同水平二方向において外壁パネルに先行して降伏することで外壁パネルを保護することができ、しかも、それを簡素な構造でコスト的に有利に実現することができる、外壁保護のための耐震建物用のコーナー部土台構造を提供することを課題とする。
【課題を解決するための手段】
【０００４】
上記の課題は、外壁コーナー部において、平面視Ｌ形の下水平プレート部が基礎側に連結されると共に、平面視Ｌ形の上水平プレート部がコーナー部を挟む両外壁パネルのそれぞれに連結され、これら上下の水平プレート部が、それらの間に介設された鋼製の複数の垂直プレート部で連結され、
そのうちの一部の垂直プレート部が、コーナー部を挟む一方の外壁パネルの外壁面に沿う方向に向けられ、残りの垂直プレート部がコーナー部を挟むもう一方の外壁パネルの外壁面に沿う方向に向けられ、
コーナー部を挟む一方の外壁パネルにその外壁面に沿う方向を向く水平力が作用した際、その方向を向く垂直プレート部が該一方の外壁パネルに先行してせん断降伏するようになされていると共に、
コーナー部を挟むもう一方の外壁パネルにその外壁面に沿う方向を向く水平力が作用した際、その方向を向く垂直プレート部が該もう一方の外壁パネルに先行してせん断降伏するようになされていることを特徴とする外壁保護のための耐震建物用のコーナー部土台構造によって解決される。
【０００５】
このコーナー部土台構造では、複数の垂直プレート部のうちの一部の垂直プレート部が、コーナー部を挟む一方の外壁パネルの外壁面に沿う方向に向けられ、残りの垂直プレート部が、コーナー部を挟むもう一方の外壁パネルの外壁面に沿う方向に向けられているので、垂直プレート部の面内方向におけるせん断耐力によって、直交する水平二方向においてしっかりとした耐震性能を発揮することができる。そして、より大きな水平力に対しては、直交する水平二方向において、垂直プレート部が外壁パネルに先行して面内方向におけるせん断降伏をして、コーナー部を挟む各外壁パネルを保護することができる。
【０００６】
しかも、耐震性能の確保とコーナー部を挟む各外壁パネルの保護とを、鋼製の垂直プレート部の面内方向におけるせん断耐力と、同じく面内方向におけるせん断降伏とによって実現するものであるから、それらを簡素な構造でコスト的に有利に実現することができる。
【０００７】
更に、すべての垂直プレート部が平面視Ｌ形の上下の水平プレート部に連結されているので、コーナー部用土台部品は一つですみ、コーナー部における土台の構築を施工容易に行うことができ、しかも、コーナー部を挟む両外壁パネルがＬ形の上水平プレート部で連結一体化されるので、上下の水平プレート部間における各垂直プレート部の配置を自由に決めることができる。
【０００８】
上記のコーナー部土台構造において、一方の外壁パネルの側に、もう一方の外壁パネルの外壁面に沿う方向を向く垂直プレート部が備えられ、
該もう一方の外壁パネルの側に、前記一方の外壁パネルの外壁面に沿う方向を向く垂直プレート部が備えられているとよい。
【０００９】
この構造では、各垂直プレート部が平面視Ｌ形の上下の水平プレート部に連結されていることとの組み合わせにより、直交する水平二方向において、しっかりとした耐震性能を発揮することができると共に、コーナー部を挟む各外壁パネルを先行降伏作用によって保護することができる。
【００１０】
のみならず、コーナー部において、垂直プレート部が、各外壁パネルの直下領域部分においてその外壁パネルの外壁面と直交する方向を向くように備えられるので、外壁パネルを土台に安定良く支承させることができ、しかも、下水平プレート部と基礎との連結部や、上水平プレート部と外壁パネルとの連結部へのアクセスを上下の水平プレート部間を通じて容易に行うことができ、新築時の土台の構築やその後の交換を施工容易に行うことができる。
【発明の効果】
【００１１】
本発明のコーナー部土台構造は、以上のとおりのものであるから、直交する水平二方向においてしっかりとした耐震性能を発揮することができると共に、同水平二方向において外壁パネルに先行して降伏することで外壁パネルを保護することができ、しかも、それを簡素な構造でコスト的に有利に実現することができる。
【発明を実施するための最良の形態】
【００１２】
次に、本発明の実施最良形態を図面に基づいて説明する。
【００１３】
図１に示す実施形態において、１は基礎、２，３はコーナー部を挟む各外壁パネル、４，４は一般部土台、そして、５がコーナー部土台である。
【００１４】
基礎１は、コンクリートの布基礎からなり、各外壁パネル２，３は、図示しないコンクリート系等の外壁面材の背面側にパネルフレーム２ａ，３ａを取り付けたものなどからなっている。
【００１５】
一般部土台４は、ピース状の土台からなっていて、図１及び図３に示すように、平面視方形状の上下の水平プレート部４ａ，４ｂと、水平プレート部４ａ，４ｂ間に介設されてこれら水平プレート部４ａ，４ｂのそれぞれに溶接などで接合一体化された４つの垂直プレート部４ｃ，４ｃ，４ｃ，４ｄとで構成され、そのうちの３つの垂直プレート部４ｃ…は外壁パネル２（３）の外壁面と直交する方向に向けられて所定の間隔をおいて並列するように備えられ、残る一つの垂直プレート部４ｄは、外壁パネル２（３）の外壁面に沿う方向に向けられ、前記３つの垂直プレート部４ｃ…の一方の側に備えられている。
【００１６】
また、上下の各水平プレート部４ａ，４ｂには、並列する垂直プレート４ｃ…間のそれぞれに通孔６…が設けられ、一般部土台４は、これら通孔６…を利用して、基礎１に対してアンカーボルトで、また、外壁パネル２（３）のパネルフレーム２ａ（３ａ）に対してボルトで連結されている。
【００１７】
そして、並列させた３つの垂直プレート部４ｃ…の一方の側に備えられた垂直プレート部４ｄは極軟鋼などからなっていて、図４（イ）に示すように、コーナー部を挟む一方の外壁パネル２にその外壁面に沿う方向を向く水平力が作用した際、斜線で示すように、垂直プレート部４ｄが該一方の外壁パネル２に先行してせん断降伏するようになされていると共に、図４（ロ）に示すように、コーナー部を挟むもう一方の外壁パネル３にその外壁面に沿う方向を向く水平力が作用した際、同じく斜線で示すように、垂直プレート部４ｄが該もう一方の外壁パネル３に先行してせん断降伏するようになされている。
【００１８】
なお、外壁パネルの保護の内容によっては、一般部土台４において、垂直プレート部４ｃ…，４ｄのすべてを極軟鋼などで構成するようにしてもよい。
【００１９】
そして、コーナー部土台５は、図１及び図２に示すように、基礎１のコーナー部において、コーナー部を挟む各外壁パネル２，３の下面側に突出する、平面視Ｌ形の上下の水平プレート部７，８と、該水平プレート部７，８間に介設されてこれら水平プレート部７，８のそれぞれに溶接などで接合一体化された極軟鋼などからなる４つの垂直プレート部９，９，１０，１０とで構成されている。
【００２０】
上記の４つの垂直プレート部９，９，１０，１０のうちの２つの垂直プレート部９，９は、コーナー部を挟む一方の外壁パネル２の外壁面に沿う方向に向けられて、もう一方の外壁パネル３の側の辺部７ａ，８ａ間に所定の間隔をおいて並列するように備えられ、また、残る２つの垂直プレート部１０，１０は、コーナー部を挟む前記もう一方の外壁パネル３の外壁面に沿う方向に向けられて前記一方の外壁パネル２の側の辺部７ｂ，８ｂ間に所定の間隔をおいて並列するように備えられている。
【００２１】
そして、上下の各水平プレート部７，８には、一方の辺部７ａ，８ａの側において並列する垂直プレート９，９間と、もう一方の辺部７ｂ，８ｂの側において並列するもう一方の垂直プレート部１０，１０間と、両辺部間の三カ所のそれぞれに通孔６…が設けられ、コーナー部土台５は、これら通孔６…を利用して、基礎１に対してアンカーボルトで、また、コーナー部を挟む両外壁パネル２，３のパネルフレーム２ａ，３ａのそれぞれに対してボルトで連結され、図４（イ）に示すように、コーナー部を挟む一方の外壁パネル２にその外壁面に沿う方向を向く水平力が作用した際、斜線で示すように、その方向を向く垂直プレート部９，９が該一方の外壁パネル２に先行してせん断降伏するようになされていると共に、図４（ロ）に示すように、コーナー部を挟むもう一方の外壁パネル３にその外壁面に沿う方向を向く水平力が作用した際、同じく斜線で示すように、その方向を向く垂直プレート部１０，１０が該もう一方の外壁パネル３に先行してせん断降伏するようになされている。
【００２２】
なお、上水平プレート部８における両辺部８ａ，８ｂ間の通孔６は、図示しないコーナー部用外壁材を連結するのに用いられる。
【００２３】
上記のコーナー部土台構造では、４つの垂直プレート部９，９，１０，１０のうちの２つの垂直プレート部９，９が、コーナー部を挟む一方の外壁パネル２の外壁面方向に向けられ、残りの２つの垂直プレート部１０，１０が、コーナー部を挟むもう一方の外壁パネル３の外壁面方向に向けられているので、垂直プレート部９，９，１０，１０の面内方向におけるせん断耐力によって、直交する水平二方向においてしっかりとした耐震性能を発揮することができると共に、より大きな水平力に対しては、図４（イ）（ロ）に示すように、直交する水平二方向において、垂直プレート部９，９，１０，１０が外壁パネル２，３に先行して面内方向におけるせん断降伏をして、コーナー部を挟む各外壁パネル２，３をしっかりと保護することができる。
【００２４】
具体的には、外壁パネル２（３）の外壁面材がコンクリート系の面材である場合には、該面材に割れやクラックを生じる前に垂直プレート部９…（１０…）が降伏して面材を保護し、また、外壁パネル２，３が内部にブレース等の耐力要素を備えている場合には耐力要素が降伏する前に垂直プレート部９…（１０…）が降伏して交換困難なブレース等が保護されるなどして、コーナー部を挟む外壁パネル２，３が保護される。
【００２５】
しかも、耐震性能の確保とコーナー部を挟む各外壁パネル２，３の保護とを、鋼製の垂直プレート部９…，１０…の面内方向におけるせん断耐力と、同じく面内方向におけるせん断降伏とによって実現するものであるから、それらを簡素な構造でコスト的に有利に実現することができる。
【００２６】
更に、すべての垂直プレート部９…，１０…が平面視Ｌ形の上下の水平プレート部７，８に連結されているので、コーナー部用土台部品は一つですみ、コーナー部における土台５の構築を施工容易に行うことができ、しかも、コーナー部を挟む両外壁パネル２，３がＬ形の上水平プレート部８で連結一体化されているので、上下の水平プレート部７，８間における各垂直プレート部９，１０の配置を自由に決めることができる。従って、本実施形態のように、垂直プレート部９…，１０…が、各外壁パネル２，３の直下領域部分においてその外壁パネル２，３の外壁面と直交する方向を向くように備えさせることができて、コーナー部を挟む各外壁パネル２，３をコーナー部土台５に安定良く支承させることができ、しかも、下水平プレート部７と基礎１との連結部や、上水平プレート部８と外壁パネル２，３との連結部へのアクセスを上下の水平プレート部７，８間を通じて容易に行うことができ、新築時のコーナー部土台５の構築やその後の交換を施工容易に行うことができる。
【００２７】
以上に、本発明の実施形態を示したが、本発明はこれに限られるものではなく、発明思想を逸脱しない範囲で各種の変更が可能である。例えば、上記の実施形態では、一般部土台が、ピース物の土台からなる場合を示しているが、長尺物の土台からなっていてもよい。また、上記の実施形態では、垂直プレート部を極軟鋼などで構成した場合を示しているが、これに限られるものではなく、外壁パネルに先行して降伏するようなものであればよい。また、垂直プレート部の降伏は、外壁パネルの面材の割れやクラック、ブレースの降伏に先行して行われるものに限らず、外壁パネルの保護の内容に応じて、その内容との関係で、先行して行われるようになされたものであればよい。また、垂直プレート部の数についても制限はない。
【図面の簡単な説明】
【００２８】
【図１】実施形態の土台構造を示す斜視図である。
【図２】コーナー部土台を示すもので、図（イ）は斜視図、図（ロ）は分解斜視図、図（ハ）は土台の垂直プレート部と外壁パネルとの取り合い関係を示す平面図である。
【図３】一般部土台を示すもので、図（イ）は斜視図、図（ロ）は分解斜視図、図（ハ）は土台の垂直プレート部と外壁パネルとの取り合い関係を示す平面図である。
【図４】図（イ）及び図（ロ）はそれぞれ、コーナー部、一般部の各土台の作動状態を示す平面図である。
【符号の説明】
【００２９】
１…基礎
２，３…外壁パネル
５…コーナー部土台
７…下水平プレート部
８…上水平プレート部
９，１０…垂直プレート部
【図１】
2006200274.tif 000003
【図２】
2006200274.tif 000004
【図３】
2006200274.tif 000005
【図４】
2006200274.tif 000006